(57)【要約】【課題】バイオマスの熱分解ガス中の水蒸気が多く含まれ、これがナノカーボン生成の阻害領域に達するのを防止でき、ナノカーボン生成炉内でのナノカーボン生成効率が低くなるという問題を解決するナノカーボン生成方法を提供することを課題とする。【解決手段】熱分解炉と、ナノカーボン生成炉と、ナノカーボン回収装置とを具備するナノカーボン生成装置を用いてナノカーボンを生成する方法において、ナノカーボン生成炉でのナノカーボン生成運転開始時は、水分含有率が３０％以下のアルコールを前記ナノカーボン生成炉に投入してナノカーボン生成起動運転を行う工程と、前記アルコールを減らしつつ前記バイオマス熱分解ガスを増やすように、アルコールとバイオマス熱分解ガスの投入量を調整しながらバイオマス熱分解分ガスから一定量のナノカーボンを生成するナノカーボン生成定常運転への移行運転を行う工程とを具備することを特徴とする。【選択図】なし【特許請求の範囲】
【請求項１】
バイオマスを熱分解する熱分解炉と、この熱分解炉で発生するバイオマス熱分解ガスを原料として化学気相成長法によりナノカーボンを生成するナノカーボン生成炉と、このナノカーボン生成炉に接続され，ナノカーボン生成炉で生成するナノカーボンを回収するナノカーボン回収装置とを具備するナノカーボン生成装置を用いてナノカーボンを生成する方法において、
ナノカーボン生成炉でのナノカーボン生成運転開始時は、水分含有率が３０％以下のアルコールを前記ナノカーボン生成炉に投入してナノカーボン生成起動運転を行う工程と、
前記アルコールを減らしつつ前記バイオマス熱分解ガスを増やすように、アルコールとバイオマス熱分解ガスの投入量を調整しながらバイオマス熱分解ガスから一定量のナノカーボンを生成するナノカーボン生成定常運転への移行運転を行う工程と、
を具備することを特徴とするナノカーボン生成方法。
【請求項２】
ナノカーボンの回収重量が一定比率で増加することを前記ナノカーボン生成起動運転を行う工程内で確認した後に、前記ナノカーボン生成定常運転への移行運転を行うことを特徴とする請求項１記載のナノカーボン生成方法。
【請求項３】
ナノカーボン生成定常運転において、
前記ナノカーボン回収装置に回収される単位時間当たりのナノカーボンの重量が低下する場合には、ナノカーボン生成炉に投入するアルコールを増やすか、バイオマス熱分解ガスを減らすか、少なくともいずれか一方を行い、
逆に、ナノカーボン回収装置に回収される単位時間当たりのナノカーボンの重量が増加する場合には、ナノカーボン生成炉に投入するアルコールを減らすか、バイオマス熱分解ガスを増やすか、少なくともいずれか一方を行うことを特徴とする請求項２に記載のナノカーボン生成方法。
【請求項４】
さらに、前記熱分解炉と前記ナノカーボン生成炉を接続する熱分解ガスラインに介装された，バイオガスの投入量を調整する第１の流量調整弁と、ナノカーボン生成炉からの排ガスラインと前記第１の流量調整弁の上流側の前記熱分解ガスラインとを接続する熱分解ガスバイパスラインと、この熱分解ガスバイパスラインに介装された，バイオマス熱分解用の第３の流量調整弁とを備え、
前記第１・第３の流量調整弁の開度を調整することにより、ナノカーボン生成炉に投入するバイオマス熱分解ガスの投入量の調整を行うことを特徴とする請求項２または３に記載のナノカーボン生成方法。
【請求項５】
さらに、前記ナノカーボン生成炉に接続するアルコール供給ラインに介装された，アルコールの投入量を調整する第２の流量調整弁を備え、
前記ナノカーボン回収装置に回収される単位時間当たりのナノカーボンの重量の増減に応じて前記第２の流量調整弁の開度を調整することにより、前記ナノカーボン生成炉に投入するアルコールの投入量の調整を行うことを特徴とする請求項４記載のナノカーボン生成方法。
【発明の詳細な説明】
【技術分野】
【０００１】
本発明の実施形態は、バイオマスを原料とするカーボンナノチューブ、カーボンファイバー、カーボンナノコイル等の有用性の高い繊維状のナノカーボンを効率的に生成するナノカーボン生成方法に関する。
【背景技術】
【０００２】
カーボンナノチューブ、カーボンファイバー、カーボンナノコイル等の有用性の高い繊維状のナノカーボンの生成法としては、例えばアーク放電法、レーザー蒸着法、化学気相成長法(ＣＶＤ法)が挙げられる。
【０００３】
アーク放電法では、正負のグラファイト電極間にアーク放電を起こすことでグラファイトが蒸発し、陰極先端に凝縮したカーボンの堆積物の中にナノカーボンが生成される。
【０００４】
レーザー蒸着法は、高温に加熱した不活性ガス中に金属触媒を混合したグラファイト試料を入れ、レーザー照射することによりナノカーボンを生成する方法である。
【０００５】
一般に、上記アーク放電法やレーザー蒸発法では結晶性の良いナノカーボンが生成できるが、生成するナノカーボンの量が少なく大量生成が難しいと言われている。
【０００６】
ＣＶＤ法には、生成炉の中に配置した基板にナノカーボンを生成させる気相成長基板法と、触媒金属と炭素源を一緒に高温の炉に流動させカーボンナノチューブを生成する流動気相法の２つの方法がある。
【０００７】
しかし、上記気相成長基板法は、バッチ処理であるので大量生産が難しい。また、流動気相法は、温度の均一性が低く結晶性の良いナノカーボンを生成するのが難しいとされている。さらに、流動気相法の発展型として、高温の炉の中に、触媒兼用流動材で流動層を形成し、炭素原料を供給して繊維状のナノカーボンを生成する方法も提案されている。しかし、炉内の温度の均一性が低く結晶性の良いナノカーボンを生成するのが難しいと想定される。
【０００８】
しかして、純度及び安定性の高いナノカーボンを低コストで効率よく量産することができるようになれば、ナノカーボンの特性を生かしたナノテクノロジー製品を低コストで大量に供給することが可能になる。
【先行技術文献】
【特許文献】
【０００９】
【特許文献１】特開２０００−９５５０９号公報
【特許文献２】特開平１０−２７３３０８号公報
【特許文献３】特開２０００−８６２１７号公報
【特許文献４】特開２００３−３４２８４０号公報
【発明の概要】
【発明が解決しようとする課題】
【００１０】
上記ナノカーボンは次世代の材料として注目を浴びており、導電性があるため、帯電防止剤や導電材料、半導体、燃料電池電極、ディスプレーの陰極線などの今までにない用途開発が進められている。
【００１１】
一方、バイオマスの種類は多岐に渡り、廃棄物系のもの、未利用のもの及び資源作物（エネルギーや製品の生成を目的に栽培される植物）がある。廃棄物系のバイオマスとしては、例えば廃棄される紙や、家畜排せつ物、食品廃棄物、建設発生木材、製材工場残材、黒液（パルプ工場廃液）、下水汚泥、し尿汚泥が挙げられる。未利用のバイオマスとしては、例えば稲わら、麦わら、もみ殻、林地残材（間伐材、被害木等）が挙げられる。資源作物としては、例えばさとうきびやトウモロコシなどの糖質系作物、菜種などの油糧作物が挙げられる。
【００１２】
ところで、ナノカーボンを上記のバイオマスから生成する場合、バイオマスを熱分解処理し、その熱分解ガスを原料としてナノカーボン生成炉に導入しナノカーボンを生成する方法が簡単である。しかし、バイオマスを原料とする場合、この熱分解ガス中にナノカーボンの生成を阻害する水蒸気（水分）が多く含まれており、バイオマスの種類によっては熱分解ガス中の水蒸気（水分）が多くなり、熱分解ガス中から分離の難しい水蒸気（水分）等が多く含まれ、熱分解ガス中の水分含有率が増えるほどナノカーボンが生成しにくくなる。ナノカーボン生成の阻害領域（熱分解ガス等の炭化水素及び／又はアルコールを主成分とするナノカーボン生成原料中に占める水蒸気（水分）等のナノカーボン生成阻害物質が増えることにより、ナノカーボンの生成が阻害されるガス成分領域）に達することで、ナノカーボン生成炉内でのナノカーボン生成効率が低下するという問題がある。
【００１３】
本発明が解決しようとする課題は、バイオマスの熱分解ガス中に水蒸気（水分）が多く含まれ、これがナノカーボン生成の阻害領域（熱分解ガス等の炭化水素及び／又はアルコールを主成分とするナノカーボン生成原料中に占める水蒸気（水分）等のナノカーボン生成阻害物質が増えることにより、ナノカーボンの生成が阻害されるガス成分領域）に達するのを防止でき、ナノカーボン生成炉内でのナノカーボン生成効率が低下するという問題を解決しうるバイオマスからのナノカーボン生成方法を提供することである。
【課題を解決するための手段】
【００１４】
実施形態によれば、バイオマスを熱分解する熱分解炉と、この熱分解炉で発生するバイオマス熱分解ガスを原料として化学気相成長法によりナノカーボンを生成するナノカーボン生成炉と、このナノカーボン生成炉に接続され，ナノカーボン生成炉で生成するナノカーボンを回収するナノカーボン回収装置とを具備するナノカーボン生成装置を用いてナノカーボンを生成する方法において、ナノカーボン生成炉でのナノカーボン生成運転開始時は、水分含有率が３０％以下のアルコールを前記ナノカーボン生成炉に投入してナノカーボン生成起動運転を行う工程と、前記アルコールを減らしつつ前記バイオマス熱分解ガスを増やすように、アルコールとバイオマス熱分解ガスの投入量を調整しながらバイオマス熱分解ガスから一定量のナノカーボンを生成するナノカーボン生成定常運転を行う工程とを具備することを特徴とするナノカーボン生成方法を提供できる。
【図面の簡単な説明】
【００１５】
【図１】実施形態に係るナノカーボン生成装置の構成図。
【図２】実施形態に係るナノカーボン生成方法における熱分解炉の温度(A)、バイオマス熱分解ガスの発生量(B)、ナノカーボン生成炉の温度(C)、第１の流量調整弁の開度(D)の起動運転から定常運転及び停止に至る運転シーケンス図。
【図３】実施形態に係るナノカーボン生成方法における第２の流量調整弁の開度(E)、ナノカーボンの生成量(F)、ナノカーボン回収装置の重量(G)及びナノカーボン回収装置の切替え(H)の起動運転から定常運転及び停止に至る運転シーケンス図。
【発明を実施するための形態】
【００１６】
以下、本発明の実施形態について図面を参照して説明する。なお、本実施形態は下記に述べることに限定されない。  
まず、本実施形態に係るナノカーボン生成方法におけるバイオマスからナノカーボン生成までのフローについて図１を参照して説明する。  
このナノカーボン生成方法に使用される生成装置は、バイオマス１を熱分解する熱分解炉２と、この熱分解炉２の下流側に接続され，該熱分解炉２で発生する熱分解ガスを原料として化学気相成長法によりナノカーボンを連続的に生成するナノカーボン生成炉３と、このナノカーボン生成炉３の下部に接続され，ナノカーボン生成炉３で生成し流下するナノカーボンを回収するナノカーボン回収装置４とを備えている。
【００１７】
前記熱分解炉２と前記ナノカーボン生成炉３の投入部３ａは、熱分解ガスライン５により接続されている。この熱分解ガスライン５には、バイオマス熱分解ガスの流量を調整するための第１の流量調整弁６が介装されている。前記ナノカーボン生成炉３の投入部３ｂにはアルコール供給ライン７が接続されている。このアルコール供給ライン７には、アルコール８の流量を調整するための第２の流量調整弁９が介装されている。前記ナノカーボン生成炉３には、排ガスライン１０が接続されている。
【００１８】
前記第１の流量調整弁６の上流側の熱分解ガスライン５と前記排ガスライン１０とは、熱分解ガスバイパスライン１１により接続されている。この熱分解ガスバイパスライン
１１には、バイオマス熱分解ガスの流量を調整するための第３の流量調整弁１２が介装されている。前記ナノカーボン生成炉３と前記ナノカーボン回収装置４は、ナノカーボン排出仕切弁１３を介装したナノカーボン排出ライン１４により接続されている。なお、図１中の符号１５は、ナノカーボン回収装置４に回収される単位時間当たりのナノカーボンの重量を計測する重量計測器（単なる重量計を設置して、単位時間ごとに計測するようにしてもこの機能を果たす。）を示す。この重量計測器１５は、アルコール供給ライン７の第２の流量調節弁９と電気的に接続されている。
【００１９】
（第１の実施形態）  
第１の実施形態に係るナノカーボン生成方法における熱分解炉、ナノカーボン生成炉における起動運転から定常運転に至って停止するまでの一連の運転シーケンスについて図２及び図３を参照して説明する。  
図２において、（Ａ）は熱分解炉２の温度、（Ｂ）はバイオマス熱分解ガスの発生量、（Ｃ）はナノカーボン生成炉３の温度、（Ｄ）は第１の流量調整弁６の開度を夫々示す。なお、（Ａ）〜（Ｃ）において、「符号Ｈ」は「温度が高い（Ｈｉｇｈ）又はガスの発生量が多い（Ｈｉｇｈ）」場合を示し、「符号Ｌ」は「温度が低い（Ｌｏｗ）又はガスの発生量が少ない（Ｌｏｗ）」場合を示す。また、図２において、「符号Ｐ１」は熱分解炉の起動時点、「符号Ｐ２」はナノカーボン生成炉３の起動時点、「符号Ｐ３」はバイオマス１の投入開始時点を示す。
【００２０】
図３において、（Ｅ）は第２の流量調整弁の開度、（Ｆ）はナノカーボンの生成量（単位時間当たり）、（Ｇ）はナノカーボン回収装置の重量、（Ｈ）はナノカーボン回収装置４の切替え（交換）時期を示す。図３の（Ｆ）において、「符号Ｈ」は「ナノカーボンの生成量が多い（Ｈｉｇｈ）」場合を示し、「符号Ｌ」は「ナノカーボンの生成量が少ない（Ｌｏｗ）」場合を示す。図３の（Ｇ）において、「符号Ｈ」は「ナノカーボン回収装置４の重量が重い（Ｈｉｇｈ）」場合を示し、「符号Ｌ」は「ナノカーボン回収装置４の重量が軽い（Ｌｏｗ）」場合を示す。また、図３において、「符号Ｐ４」はアルコールの投入開始時点、「符号Ｐ５，Ｐ６」は夫々ナノカーボン回収装置４の切替え時点を示す。
【００２１】
図２の場合、（Ｃ）のナノカーボン生成炉３の温度が示すように、まずナノカーボン生成炉３を起動して昇温を開始し、４時間目で昇温完了し、設定温度に達するようにしている。なお、ナノカーボン生成炉３の熱容量が小さい場合には、設定温度に達するまで２時間程度でも昇温可能である。
【００２２】
次に、図３の（Ａ）の第２の流量調整弁９の開度が示すように、ナノカーボン生成炉３の温度が設定温度に達したら、アルコール８の投入流量を徐々に増やして規定流量まで上げていく。このアルコール８は水分含有率が３０％以下のアルコールである。アルコールを原料とする場合、アルコール濃度が高い程、ナノカーボン生成効率は高まるが、発明者の試験実績によれば、水分含有率が３０％以下であれば、ナノカーボンが生成することを解明している。投入するアルコール中の水分含有率が３０％以下であれば、水分を含有するアルコールであってもナノカーボン生成炉３でのナノカーボン生成の原料となり、ナノカーボン生成運転が可能となる。
【００２３】
ナノカーボン生成運転の開始段階においては、アルコール中の水分含有率が３０％以下のアルコール原料（図３の（E））を投入することで、図３の（Ｆ）のようにナノカーボン生成量が増えていき、アルコール８が規定流量まで達すると、ナノカーボン生成量は略一定（Ｈレベル）となる。ナノカーボン生成量が増えていく途中の６時間目から図２の（Ａ）の熱分解炉の温度が示すように、熱分解炉２を起動して昇温を開始し、１０時間目で昇温完了し設定温度に達するようにしている。なお、熱分解炉２の熱容量が小さい場合には、設定温度に達するまで２時間程度でも昇温可能である。
【００２４】
図２の（Ａ）のように熱分解炉２の温度が上昇するにつれて、図２の（Ｂ）のようにバイオマス熱分解ガスの発生量も増えていき、熱分解炉温度（Ａ）が設定温度に達した後、暫くするとバイオマス熱分解ガス発生量も略一定（Ｈレベル）となる。この間、バイオマス熱分解ガスの発生量が増えていく途中（１０時間目）で、図２の（Ｄ）のようにバイオマス熱分解ガス用の第１の流量調整弁６の開度を閉（CLOSE）から開（OPEN）へ徐々に上げていき、ナノカーボン生成炉３へのバイオマス熱分解ガスの投入量を徐々に増やし、一方、アルコール用の第２の流量調整弁９の開度を開（OPEN）から閉（CLOSE）へ徐々に下げていき、ナノカーボン生成炉３へのアルコール８の投入量を徐々に増やしていく。
【００２５】
この時、バイオマス熱分解ガス中の水分含有率が高くなることでナノカーボン生成量が極端に減少してしまうと、ナノカーボン生成炉３内の触媒の活性が低下してそれ以降のナノカーボン生成効率が低下してしまう。従って、これを防止するために、ナノカーボン生成量が極端に減少しないように監視しながら、アルコール８（水分含有率が３０％以下のアルコール）の投入量（図３の（E））を適宜増加させ、バイオマス熱分解ガスの投入量（図２の（D））を適宜減少させる。これにより、図３の（Ｆ）のように、ナノカーボン生成量は多少変動するものの、或る一定範囲内で安定的な値を確保できる。
【００２６】
図２の（Ｄ）のように第１の流量調整弁６の開度が略全開（OPEN）微動状態で、ナノカーボン生成量が一定範囲内で安定的な値を確保できるようになれば、図３（Ｅ）のように第２の流量調整弁９の開度を開（OPEN）から閉（CLOSE）へ徐々に下げていく。そして、ナノカーボン生成量を一定範囲内で安定的な値を確保しながら、図２の（Ｄ）の第１の流量調整弁６の開度と図３の（Ｅ）の第２の流量調整弁９の開度がバランスするように調整する制御を行う。例えば、図１中の符号１５に示すように、ナノカーボン回収装置４に回収される単位時間当たりのナノカーボンの重量を計測する重量計測器（単なる重量計を設置して、単位時間ごとに計測するようにしてもこの機能を果たす。）の計測値により、アルコール供給ライン７の第２の流量調節弁９と電気的に接続し、流量調節弁９の開度を自動制御する。
【００２７】
これにより、図３（Ｅ）のように、第２の流量調整弁９の開度を徐々に閉（CLOSE）へ下げていくことができ、アルコール８の投入流量、即ち、アルコール８の消費量を減らすことができる。このような運転制御を行うことにより、ナノカーボン生成炉３に投入するアルコール８を徐々に減らしつつ、バイオマス熱分解ガスを徐々に増やすよう、アルコール８とバイオマス熱分解ガスの投入量を調整しながらバイオマス熱分解ガスから連続的に一定量のナノカーボン生成を行うナノカーボン生成定常運転に切替え移行することができる。
【００２８】
また、図３の（Ｇ）のように、ナノカーボン回収装置４の重量は、時間とともに上昇していく。この為、ナノカーボン回収装置４の重量が或る一定値に達したら（図３の（Ｇ）の場合、１６時間目）、図３の（Ｈ）のようにナノカーボン回収装置４の切替え（交換）操作を行い、新規のナノカーボン回収装置４に切替え（交換）することで、ナノカーボン生成運転を継続することができる。なお、長時間連続する場合は、ナノカーボン回収装置４の重量が或る一定値に達する度にナノカーボン回収装置４の切替え（交換）操作を行うことで、ナノカーボン生成運転を長期に渡り連続して行うことができる。
【００２９】
ナノカーボン回収装置４に回収される単位時間当たりのナノカーボンの重量（図３の（Ｇ）のナノカーボン回収装置の重量）が所定の設定値よりも低下する場合には、ナノカーボン生成炉３に投入するアルコール８を増やし（第２の流量調整弁９の開度を閉CLOSE）から開（OPEN）へ徐々に上げる）、バイオマス熱分解ガスを減らす（第１の流量調整弁６の開度を開（OPEN）から閉（CLOSE）へ徐々に下げる）ようにする。
【００３０】
逆に、ナノカーボン回収装置４に回収される単位時間当たりのナノカーボンの重量（ナノカーボン回収装置４の重量）が所定の設定値よりも増加する場合には、ナノカーボン生成炉３に投入するアルコール８を減らし（図３の（Ｅ）の第２の流量調整弁９の開度を開（OPEN）から閉（CLOSE）へ徐々に下げる）、バイオマス熱分解ガスを増やす（図２の（Ｄ）の第１の流量調整弁６の開度を閉（CLOSE）から開（OPEN）へ徐々に上げる）ようにする。このようにして、ナノカーボン生成炉３に投入するアルコール８とバイオマス熱分解ガスとの比率を調整しながらバイオマス熱分解ガスから連続的に一定量のナノカーボン生成を行うナノカーボン生成定常運転を行う。これにより、バイオマスを原料としてナノカーボンを生成する場合、バイオマスの熱分解ガス中の水蒸気（水分）が多く含まれ、バイオマス熱分解ガスのみを原料としていては熱分解ガス中に水蒸気（水分）等のナノカーボン生成阻害物質の比率が増えることで、これによりナノカーボン生成の阻害領域（熱分解ガス等の炭化水素及び／又はアルコールを主成分とするナノカーボン生成原料中に占める水蒸気（水分）等のナノカーボン生成阻害物質が増えることにより、ナノカーボンの生成が阻害されるガス成分領域）に達するのを防止でき、ナノカーボン生成炉３内でのナノカーボン生成効率が低くなるという問題を解決できる。
【００３１】
（第２の実施形態）  
第２の実施形態に係るナノカーボン生成方法について、図１を参照して説明する。第２の実施形態は、第１の流量調整弁６が介装された熱分解ガスライン５と、第２の流量調整弁９が介装されたアルコール供給ライン７と、第３の流量調整弁１２が介装された熱分解ガスバイパスライン１１を用いる例を示す。
【００３２】
熱分解炉２に投入されたバイオマス１は熱分解されてバイオマス熱分解ガスとなり、第１の流量調整弁６を経由してナノカーボン生成炉３の投入部３ａに投入される。また、アルコール８は、第２の流量調整弁９を経由してナノカーボン生成炉３の投入部３ｂに投入される。  
第２の実施形態では、第１の流量調整弁６と第３の流量調整弁１２の開度を調整することにより、ナノカーボン生成炉３に投入するバイオマス熱分解ガスの流量の調整を行いつつ、ナノカーボン生成定常運転を行う。
【００３３】
これにより、ナノカーボン生成炉３に投入するバイオマス熱分解ガスの流量とアルコール８の流量の調整を行うことができ、ナノカーボン生成炉３に投入するアルコール８とバイオマス熱分解ガスとの比率を調整しながらバイオマス熱分解ガスから連続的に一定量のナノカーボン生成を行うナノカーボン生成定常運転を行う。  
従って、バイオマスを原料としてナノカーボンを生成する場合、バイオマスの熱分解ガス中の水蒸気（水分）が多く含まれ、これがナノカーボン生成の阻害領域（熱分解ガス等の炭化水素及び／又はアルコールを主成分とするナノカーボン生成原料中に占める水蒸気（水分）等のナノカーボン生成阻害物質が増えることにより、ナノカーボンの生成が阻害されるガス成分領域）に達するのを防止でき、ナノカーボン生成炉内でのナノカーボン生成効率が低くなるという問題を解決できる。
【００３４】
（第３の実施形態）  
第３の実施形態に係るナノカーボン生成方法について、図１を参照して説明する。第３の実施形態は、ナノカーボン回収装置４で回収されたナノカーボンの重量を測定する重量計測器１５を用いる例を示している。
【００３５】
第３の実施形態では、ナノカーボン回収装置４に回収される単位時間当たりのナノカーボンの重量の増減を、前記重量計測器１５の計測値に基づき発信される「重量計測器１５による重量検知」から「第２の流量調整弁９の開度調整」への信号により、第２の流量調整弁９の開度を調整する制御を行う。これにより、ナノカーボン生成炉３に投入するアルコール８の流量の調整を行うナノカーボン生成定常運転を行うようにしている。
【００３６】
なお、「重量計測器１５による重量」から「第２の流量調整弁９の開度調整」への信号により第２の流量調整弁９の開度を調整する以外にも、第３の流量調整弁１２の制御を行うことにより、ナノカーボン生成炉３に投入するアルコール８の流量の調整を行うナノカーボン生成定常運転を行うようにしてもよい。
【００３７】
第３の実施形態によれば、第２の実施形態と同様、よりナノカーボン生成効率を高めることができる。また、上記の方式を組み合わせることで、多様なバイオマスから効率的により多くの高品質のナノカーボンを生成することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１…バイオマス、２…熱分解炉、３…ナノカーボン生成炉、４…ナノカーボン回収装置、５…熱分解ガスライン、６…第１の流量調整弁、７…アルコール供給ライン、８…アルコール、９…第２の流量調整弁、１０…排ガスライン、１１…熱分解ガスバイパスライン、１２…第３の流量調整弁、１３…ナノカーボン排出仕切弁、１４…ナノカーボン回収装置、１５…重量計測器。
【図１】
2014172806.tif 000002
【図２】
2014172806.tif 000003
【図３】
2014172806.tif 000004